(57)【特許請求の範囲】
【請求項１】
前面が開口した断熱筐体として形成された本体キャビネットと、当該本体キャビネットの前面を開閉する外扉とを備えた自動販売機であって、前記外扉に形成されるとともに前面が透明パネルにより覆われたディスプレイ室と、このディスプレイ室の背面を形成し、前記外扉にヒンジ装置を介して開閉可能に支持されたディスプレイ扉とを備えた自動販売機用外扉において、
前記ディスプレイ扉を支持するヒンジ装置の一方のヒンジ金具を前記外扉に配設するとともに前記外扉の側面後端部で一方のヒンジ金具を囲繞するようにしたことを特徴とする自動販売機用外扉。
【請求項２】
請求項１に記載した自動販売機用外扉において、一方のヒンジ金具はヒンジ軸を有し、このヒンジ軸にディスプレイ扉に固着された他方のヒンジ金具の円筒部が装着されることを特徴とする自動販売機用外扉。
【請求項３】
請求項１または請求項２に記載した自動販売機用外扉において、一方のヒンジ金具は断面略Ｕ字状に折り曲げられ、そのＵ字状の底部にヒンジ軸が開口により形成され、前記一方のヒンジ金具を囲繞する前記外扉の側面後端部が断面Ｕ字状に折り曲げられ、前記一方のヒンジ金具の金具に対応して前記ヒンジ軸が露出する開口を有することを特徴とする自動販売機用外扉。
【請求項４】
請求項３に記載した自動販売機用外扉において、一方のヒンジ金具はＵ字状の底部にねじの挿通穴を有するとともに係合舌片を有し、前記係合舌片を前記外扉の側面後端部に係合させるとともに前記ねじの挿通穴を介してねじにより固着されることを特徴とする自動販売機用外扉。
【請求項５】
請求項１乃至４の何れかに記載した自動販売機用外扉において、一方のヒンジ金具における脚片を外扉の内部側に延在するとともに先端を中央側に折り曲げて外扉の前面に配設された透明パネルを保持するパネル押え金の倒れ防止部材としたことを特徴とする自動販売機用外扉。
【発明の詳細な説明】
【技術分野】
【０００１】
この発明は、前面が開口した断熱筐体として形成された本体キャビネットと、当該本体キャビネットの前面を開閉する外扉とを備えた自動販売機であって、前記外扉に形成されるとともに前面が透明パネルにより覆われたディスプレイ室と、このディスプレイ室の背面を形成し、前記外扉にヒンジ装置を介して開閉可能に支持されたディスプレイ扉とを備えた自動販売機用外扉に関する。
【背景技術】
【０００２】
缶入り飲料，瓶入り飲料，ペットボトル飲料などの商品を販売する自動販売機は本体キャビネットの庫内に商品を冷蔵，温蔵状態に区分して保存し、外扉のディスプレイ室内に設置したディスプレイ台上に複数の商品見本を左右に並べて展示し、商品見本に応じて設けられた商品選択ボタンを押すことにより選択された商品を販売するように構成されている。この種の従来の自動販売機について図５乃至図８を用いて説明する。
図５に示すように、この自動販売機は、前面が開口した断熱筐体として形成された本体キャビネット１０と、本体キャビネット１０の前面に開閉可能に支持された外扉２０とからなる。本体キャビネット１０の開口面は本体キャビネット１０に開閉可能に支持された断熱内扉３０によって閉塞されて商品収納庫を画成している。本体キャビネット１０の庫内は、断熱仕切壁により左右方向に複数の商品収納室に区分され、各商品収納室には缶入り飲料，瓶入り飲料，ペットボトル入り飲料などの商品を収容するとともにその下端に商品を搬出する商品払出機構を有する商品収納ラックが収設され、また、各商品収納室の下部には、当該各商品収納室を冷却もしくは加熱して商品収納ラックに収納した商品を冷却または加熱する冷却／加熱ユニットが配設されている。
前記外扉２０の前面の上部域はアクリル樹脂からなる透明パネル４０で覆われ、この透明パネル４０と外扉２０にヒンジ装置５０を介して開閉可能に軸支されたディスプレイ扉６０との間の空間がディスプレイ室７０として形成されている。前記ディスプレイ扉６０の前面には、本体キャビネット１０の庫内に収容した商品に対応した複数の商品見本８０を左右に一列に並べて載置したディスプレイ台９０が上下方向に３段取付けられている。前記透明パネル４０には前記各ディスプレイ台９０と対峙する位置に商品選択ボタンユニット１００が設けられ、当該商品選択ボタンユニット１００は、ディスプレイ台９０に載置された各商品見本８０に対応して左右に一列に並べて設けた商品選択ボタン（不図示）を有している。また、前記外扉２０の前面には不図示の硬貨投入口、紙幣挿入口、返却レバー、ロック付ハンドル（扉ロック装置）および硬貨返却口に加えて商品取出口２１４などが設けられている。さらに、前記外扉２０の背面には硬貨投入口に連通したコインメカニズム２１１、このコインメカニズム２１１に連通した金庫２１２、紙幣挿入口に連通した紙幣識別装置２１３などが設けられている。なお、ディスプレイ室７０の上部およびディスプレイ台９０の下部には商品見本８０などを明るく照らす蛍光灯などの照明光源（不図示）が配設されている。
【０００３】
前記外扉２０にヒンジ装置５０を介して開閉自在に支持されたディスプレイ扉６０はディスプレイ扉６０の自由端（反ヒンジ装置５０側）に係止手段６１を備えており、常時においては当該係止手段６１により外扉２０に係止されている。そして、ディスプレイ室７０内の清掃や商品入れ替え時における商品見本８０の交換の際に前記ディスプレイ扉６０は係止手段６１による外扉２０への係止を解除してヒンジ装置５０を介して外扉２０から開放される。
かかる自動販売機はディスプレイ扉６０を係止手段６１により外扉２０に係止して外扉２０を閉じた後、キー操作によりロック付ハンドル（扉ロック装置）を鎖錠した状態で商用電源からの電力供給を受けてディスプレイ室７０内の蛍光灯を点灯制御することにより商品見本８０などを明るく照らし出すとともに冷却／加熱ユニットを運転制御して庫内の商品を冷却／加熱する。硬貨または紙幣が投入されるとコインメカニズム２１１または紙幣識別装置２１３により識別して投入金額を積算するととともにこの投入金額と商品価格とを比較して商品選択ボタンの販売可能ランプを点灯制御する。商品選択ボタンが操作されると選択された商品価格と投入金額とを演算して商品収納ラックに搭載された商品払出機構に販売信号を供給する。この販売信号に基づいて前記商品払出機構はソレノイドの励磁・釈放動作により商品収納ラックに収納した商品を１個づつ搬出する。
【０００４】
前記ディスプレイ扉６０のヒンジ装置５０はディスプレイ室７０に隣接して上下２箇所に配設されており、ヒンジ装置５０の拡大図を図６に示す。なお、前記ヒンジ装置５０はそれぞれ同一に構成されているので、図６では上部のヒンジ装置５０を代表して説明する。図６において、２１はヒンジ装置５０の一方のヒンジ金具を構成するヒンジ軸５１を備えるとともに外扉２０を補強する補強枠体であり、５３はディスプレイ扉６０に固定された他方のヒンジ金具（図６ではディスプレイ扉６０に隠れて見えない）の円筒部である。前記補強枠体２１は厚板鋼板からなり、図８に示すように、外扉２０の扉側面後端部２０１と扉内側側面２０２および扉内側背面２０３に溶接により接合されている。
なお、図８において４１は板金材料により形成されたパネル押え金具である。このパネル押え金具４１は後端部側が補強枠体２１にねじにより固着され、その先端部側でディスプレイ室７０を構成する透明パネル４０を保持する。図８に示すパネル押え金具４１は自動販売機の正面から見て透明パネル４０の左端側を保持するものであり、透明パネル４０の右端および上下端も同様なパネル押え金具により保持されている。このようにパネル押え金具４１に保持された透明パネル４０は外扉２０の背面との間に配設されたパッキンＰにより外扉２０の背面に密着して取付けられ、パッキンＰによりディスプレイ室７０への雨水の進入を防止している。
【０００５】
ところで、前記パネル押え金具４１はディスプレイ室７０内に飛び出して体裁を損なわないように、後端部側に対して前端部側が外扉２０の側面側に位置するように傾斜して配設されている。このため、運搬時の振動などによりパネル押え金具４１の前端部が外扉２０の側面側に倒れるおそれがあることから、前記パネル押え金具４１の倒れを防止する不図示の部材を設けている。
前記補強枠体２１は外扉２０の上端から下端まで延在するように配設され、外扉２０における本体キャビネット１０に支持される側（ヒンジ側）の扉剛性を確保する。図７に示すように前記補強枠体２１にはディスプレイ扉６０のヒンジ装置５０における一方のヒンジ金具を構成する上下２個のヒンジ軸５１が開口５２の下縁から凸状に形成されている。このヒンジ軸５１は厚板鋼板（補強枠体２１の展開状態）に開口５２をプレス加工する際に補強枠体２１と一体的に形成される。なお、それぞれの開口５２は補強枠体２１を折り曲げ形成した際に、図７において右端側が角部を跨いで側縁まで延在するような大きさに打ち抜き形成されている。
図６に戻り、ディスプレイ扉６０に固定された他方のヒンジ金具の円筒部５３は補強枠体２１に形成された上下一対のヒンジ軸５１に対応して設けられ、その内径がヒンジ軸５１に遊嵌される大きさに定められている。前記ディスプレイ扉６０の外扉２０への組付けは、前記ディスプレイ扉６０を支持しながら他方のヒンジ金具の円筒部５３がヒンジ軸５１を備えた開口５２に対峙する位置まで持ち上げる。この状態で円筒部５３を開口５２の隙間に挿入して円筒部５３がヒンジ軸５１の上方に位置するように移動させる。次いで円筒部５３をヒンジ軸５１に差込むことによりディスプレイ扉６０が外扉２０にヒンジ装置５０を介して支持される。この場合、（図６において）開口５２の右端側が補強枠体２１の角部を跨いで側縁まで延在して形成されていることによりヒンジ装置５０（ディスプレイ扉６０）の回動可能範囲を広くすることができる（例えば、特許文献１参照）。
【特許文献１】特開２００１−６０３６号公報
【発明の開示】
【発明が解決しようとする課題】
【０００６】
ところで、前記ディスプレイ扉６０は商品見本８０を載置するディスプレイ台９０や蛍光灯などが設置されることから比較的重量である。このため、前記ディスプレイ扉６０を支持するためのヒンジ装置５０が取付けられる外扉２０は剛性を有する必要がある。したがって、前記ヒンジ装置５０を、外扉２０を構成する板金自体に直に取付けようとすると外扉２０の板厚を厚くせねばならず、コストが上昇する。そこで、特許文献１に記載された自動販売機ではディスプレイ扉６０のヒンジ装置５０を取付ける補強枠体２１を設け、外扉２０の板厚を薄くしてコストダウンを図りながらディスプレイ扉６０を支持できるようにされている。しかしながら、補強枠体２１はディスプレイ扉６０を支持しつつ扉剛性を確保するために所定の板厚を必要とするとともに図８に示したごとく、外扉２０の扉側面後端部２０１と扉内側側面２０２および扉内側背面２０３の複数箇所に接合するよう複雑に構成され、かつ、外扉２０の上端から下端まで延在して設けねばならない。このため、外扉２０の板厚を薄くすることにより低減したコストを補強枠体２１によって相殺してしまうという課題を有する。
本発明は上記の点に鑑みなされたものであり、その目的は前記課題を解決し、ディスプレイ扉を、ヒンジ装置を介して回動可能に支持しつつコストの低減を図ることが可能な自動販売機用外扉を提供することにある。
【課題を解決するための手段】
【０００７】
上記目的を達成するために請求項１に係る発明は、前面が開口した断熱筐体として形成された本体キャビネットと、当該本体キャビネットの前面を開閉する外扉とを備えた自動販売機であって、前記外扉に形成されるとともに前面が透明パネルにより覆われたディスプレイ室と、このディスプレイ室の背面を形成し、前記外扉にヒンジ装置を介して開閉可能に支持されたディスプレイ扉とを備えた自動販売機用外扉において、前記ディスプレイ扉を支持するヒンジ装置の一方のヒンジ金具を前記外扉に配設するとともに前記外扉の側面後端部で一方のヒンジ金具を囲繞するようにしたことを特徴とする。
請求項２に係る発明は請求項１に記載した自動販売機用外扉において、一方のヒンジ金具はヒンジ軸を有し、このヒンジ軸にディスプレイ扉に固着された他方のヒンジ金具の円筒部が装着されることを特徴とする。
請求項３に係る発明は請求項１または請求項２に記載した自動販売機用外扉において、一方のヒンジ金具は断面略Ｕ字状に折り曲げられ、そのＵ字状の底部にヒンジ軸が開口により形成され、前記一方のヒンジ金具を囲繞する前記外扉の側面後端部が断面Ｕ字状に折り曲げられ、前記一方のヒンジ金具の金具に対応して前記ヒンジ軸が露出する開口を有することを特徴とする。
【０００８】
請求項４に係る発明は請求項３に記載した自動販売機用外扉において、一方のヒンジ金具はＵ字状の底部にねじの挿通穴を有するとともに係合舌片を有し、前記係合舌片を前記外扉の側面後端部に係合させるとともに前記ねじの挿通穴を介してねじにより固着されることを特徴とする。
請求項５に係る発明は請求項１乃至４の何れかに記載した自動販売機用外扉において、一方のヒンジ金具における脚片を外扉の内部側に延在するとともに先端を中央側に折り曲げて外扉の前面に配設された透明パネルを保持するパネル押え金具の倒れ防止部材としたことを特徴とする。
【発明の効果】
【０００９】
本発明の請求項１に係る自動販売機によれば、前面が開口した断熱筐体として形成された本体キャビネットと、当該本体キャビネットの前面を開閉する外扉とを備えた自動販売機であって、前記外扉に形成されるとともに前面が透明パネルにより覆われたディスプレイ室と、このディスプレイ室の背面を形成し、前記外扉にヒンジ装置を介して開閉可能に支持されたディスプレイ扉とを備えた自動販売機用外扉において、前記ディスプレイ扉を支持するヒンジ装置の一方のヒンジ金具を前記外扉に配設するとともに前記外扉の側面後端部で一方のヒンジ金具を囲繞するようにしたことにより、前記外扉に固着されたヒンジ手段の一方のヒンジ金具を介してディスプレイ扉を支持することができる一方、前記外扉により囲繞された前記一方のヒンジ金具が外扉の補強手段、つまり一方のヒンジ金具と外扉の側面後端部がダブルホールドされることにより外扉の扉剛性を確保できる。したがって、従来、ディスプレイ室に隣接する上部域まで延在して設けていた補強枠体を削除することが可能となり、外扉の薄板化と相俟ってコストダウンを図ることができるという利点を有する。
また、本発明の請求項２に係る自動販売機によれば、請求項１の自動販売機において、一方のヒンジ金具はヒンジ軸を有し、このヒンジ軸にディスプレイ扉に固着された他方のヒンジ金具に設けた円筒部が装着されるよう構成したことにより、ディスプレイ扉に固着される他方のヒンジ金具は従来からのヒンジ金具を利用することができ、新たにヒンジ金具を製作する必要がないととともに従来の扉組立を踏襲することができるという利点を有する。
【００１０】
また、本発明の請求項３に係る自動販売機によれば、請求項１または請求項２に記載した自動販売機用外扉において、一方のヒンジ金具は断面略Ｕ字状に折り曲げられ、そのＵ字状の底部にヒンジ軸が開口により形成され、前記一方のヒンジ金具を囲繞する前記外扉の側面後端部が断面Ｕ字状に折り曲げられ、前記一方のヒンジ金具の金具に対応して前記ヒンジ軸が露出する開口を有することより、外扉により囲繞される他方のヒンジ金具の長さをディスプレイ扉のヒンジ装置として必要な長さに止めることができ、コストの低減に寄与する。
また、本発明の請求項４に係る自動販売機によれば、請求項３に記載した自動販売機用外扉において、一方のヒンジ金具はＵ字状の底部にねじの挿通穴を有するとともに係合舌片を有し、前記係合舌片を前記外扉の側面後端部に係合させるとともに前記ねじの挿通穴を介してねじにより固着されることにより、一方のヒンジ金具の外扉への固着をねじ１本で行うことができ、部品点数の削減と外扉の製造工程の低減を図ることができる。
また、本発明の請求項５に係る自動販売機によれば、請求項１乃至４の何れかに記載した自動販売機用外扉において、一方のヒンジ金具における脚片を外扉の内部側に延在するとともに端部を中央側に折り曲げて外扉の前面に配設された透明パネルを保持するパネル押え金具の倒れ防止部材としたことによって、一方のヒンジ金具をパネル押え金具の倒れ防止部材として兼用することができ、部品点数を削減してコストダウンを図ることができる。
【発明を実施するための最良の形態】
【００１１】
（実施の形態１）
以下、本発明の実施の形態を図１乃至図４に示す実施例に基づいて説明する。図１および図３は本発明の実施の形態である自動販売機用外扉の背面を示し、図１はディスプレイ扉を装着した状態における外扉の要部背面斜視図、図３はディスプレイ扉を取り外した状態における外扉の要部背面斜視図であり、図２は図１に示した一方のヒンジ金具の斜視図、図４は外扉のヒンジ側における平面断面図である。なお、図５乃至図８に示す部材と同一機能を有するものには同一の符号を付してその説明を省略する。
図１において２０で再び外扉を示し、ディスプレイ扉６０のヒンジ装置１は外扉２０に取付けた一方のヒンジ金具２とディスプレイ扉６０に取付けた他方のヒンジ金具の円筒部３からなる。前記他方のヒンジ金具はディスプレイ扉６０の側面に取付けられており、図１ではディスプレイ扉６０に隠れて見えない。また、透明パネル４０を保持するパネル押え金具４１(後述する図４において説明)はヒンジ装置１を図解し易くするために図１では省略している。なお、ヒンジ装置１は図５に示したものと同様に、ディスプレイ室７０に隣接して上下２箇所に配設されており、それぞれ同一に構成されているので、ここでは上部のヒンジ装置１を代表して説明することとし、また、前記円筒部３を備えた他方のヒンジ金具は従来のヒンジ金具と同一であるので、一方のヒンジ金具２を主に説明する。なおまた、以下の説明においては一方のヒンジ金具２を単にヒンジ金具２ということもある。
【００１２】
前記ヒンジ金具２は薄板鋼板からなる外扉２０に対して厚板鋼板からなる。このヒンジ金具２は、図２に示すように、断面略Ｕ字状に折り曲げて形成され、Ｕ字状の底部２３に上下方向に２個のヒンジ軸２１と開口２２を備えている。前記ヒンジ軸２１には凸状の平押しビードを鉛直方向に形成して強度アップが図られている。前記開口２２の右端側はＵ字状の底部２３と一方の脚片２４との間の角部を跨いで一方の脚片２４側まで延在している。また、前記Ｕ字状の底部２３の上端側にはねじの挿通孔２７が穿孔され、その下端側には下方に突出する係合舌片２８が形成されている。前記係合舌片２８は底部２３との連結部分が図２において手前側に折り曲げられ、当該底部２３の面より浮き上がる、つまり段差が形成されている。この段差は外扉２０の板厚と略同等の寸法に定められている。そして、ヒンジ金具２における他方の脚片２５は一方の脚片２４よりも長く形成（外扉の内部側に延在）され、その先端（自由端部）を一方の脚片２４とは反対方向（外扉２０の中央側方向）に折り曲げてパネル押え金具（図４において説明）の倒れ防止部材２６として形成されている。前記ヒンジ軸２１、開口２２、挿通孔２７および係合舌片２８は、ヒンジ金具２を展開した状態（鋼板を延ばした状態）でプレス加工により形成される。
前記ヒンジ金具２が取付けられる外扉２０の側面後端部２００は図３および図４に示すように、前記ヒンジ金具２を囲繞する態様で断面Ｕ字状に折り曲げられている。ここで、外扉２０の側面後端部２００が前記ヒンジ金具２を囲繞する態様とは、外扉２０の側面後端部２００がＵ字状のヒンジ金具２、すなわち、一方の脚片２４，底部２３および他方の脚片２５の外周に接触してダブルホールドのように重ね合わされ、外扉２０がヒンジ金具２により補強されて扉剛性を高めた状態を意味している。なお、外扉２０の側面後端部２００が一方の脚片２４および他方の脚片２５に密着している場合には底部２３に接触していない態様も含むものである。
【００１３】
前述したようにヒンジ金具２を囲繞した外扉２０の側面後端部２００におけるＵ字状の底部２０ａにはヒンジ金具２の２個の開口２２に対応して２個の開口２０ｂが形成されており、この開口２０ｂからヒンジ金具２のヒンジ軸２１が露出するように構成されている。また、外扉２０の底部２０ａにはヒンジ金具２のねじの挿通孔２７に対応する挿通孔２０ｃが穿孔されており、図３では前記挿通孔２０ｃにねじ（ボルト）Ｓが螺着された状態を示し、前記ねじＳの箇所に挿通孔２０ｃが形成されている。さらに、外扉２０の底部２０ａにおける下側の開口２０ｂの下方にはヒンジ金具２の係合舌片２８に対応して係合穴２０ｄが設けられている。
なお、図４において、４０は外扉２０に画成されたディスプレイ室７０を構成する透明パネル、４１は前記透明パネル４０を保持するパネル押え金具であり、図４では自動販売機の正面から見て透明パネル４０の左端側を保持するものである。このパネル押え金具４１の後端部側は外扉２０の側面後端部にねじ（不図示）により固着されている。前記透明パネル４０の右端および上下端も同様なパネル押え金具により保持されている。このようにパネル押え金具４１に保持された透明パネル４０と外扉２０の背面との間にはパッキンＰが設けられている。このパッキンＰは透明パネル４０の周囲、つまり、ディスプレイ室７０を画成するために外扉２０に開けられた窓穴の周囲に配設されており、外扉２０と透明パネル４０との当接部からディスプレイ室７０内に雨水が進入するのを防止している。
【００１４】
図３は外扉２０の側面後端部２００にヒンジ金具２を組付けた状態を示しているが、この組付けについて次に説明する。外扉２０の側面後端部２００の自由端と外扉２０の背面との間の隙間はヒンジ金具２における他方の脚片２５の長さよりも大きく、言い換えれば、ヒンジ金具２５における他方の脚片２５の長さが外扉２０の側面後端部２００の自由端と外扉２０の背面との間の隙間より短く定められているので、前記隙間を介してヒンジ金具２を外扉２０の側面後端部に嵌め込む。このとき、ヒンジ金具２の係合舌片２８が外扉２０の係合穴２０ｄに一致、若しくは上方に位置するように見当をつけて押し込み、ヒンジ金具２の係合舌片２８を外扉２０の係合穴２０ｄに挿通させる。この状態でヒンジ金具２を下方にスライドさせてヒンジ金具２の係合舌片２８を外扉２０の底部２０ａに係合させる。係合舌片２８を外扉２０の底部２０ａに係合させた状態で、ヒンジ金具２の挿通孔２７を外扉２０の挿通孔２０ｄに対峙させ、外扉２０の底部２０ａ側からねじ（ボルト）Ｓを挿入して締め付ける。このとき、ヒンジ金具２の挿通孔２３の背後にはナットが予め接着されており、ねじ（ボルト）Ｓを締め付けると外扉２０のＵ字状の底部２０ａにヒンジ金具２のＵ字状の底部が当接する。このようにヒンジ金具２を外扉２０の側面後端部２００に固着すると、ヒンジ金具２を外扉２０の側面後端部２００が囲繞し、外扉２０の側面後端部２００がヒンジ金具２により補強（ダブルホールド）されて扉剛性が確保される。なお、ヒンジ金具２にナットを接合する代わりにヒンジ金具２の挿通孔２３にボルトに螺合する雌螺子を形成しておくこともできる。
【００１５】
次に、前述したようにヒンジ金具２が固着された外扉２０へのディスプレイ扉６０の装着について説明する。前記ヒンジ金具２が固着された外扉２０の側面後端部２００に形成した開口２０ｂからはヒンジ金具２のヒンジ軸２１および開口２２が露出している。したがって、外扉２０へのディスプレイ扉６０の装着は従来装置と同一である。すなわち、前記ディスプレイ扉６０の外扉２０への組付けは、前記ディスプレイ扉６０を支持しながら他方のヒンジ金具の円筒部３が開口２０ｂ（開口２２）に対峙する位置まで持ち上げる。この状態で円筒部３を開口２０ｂ（開口２２）の隙間に挿入して円筒部３がヒンジ軸２１の上方に位置するように移動させる。次いで、円筒部３をヒンジ軸２１に差込むことによりディスプレイ扉６０が外扉２０にヒンジ装置１を介して支持される。この場合、開口２０ｂ（開口２２）が図１において右端側が外扉２０（ヒンジ金具２）の角部を跨いで側縁まで延在して形成されていることによりヒンジ装置１（ディスプレイ扉６０）の回動可能範囲が鈍角となり、外扉２０に対してディスプレイ扉６０の回動角度を大きくすることができる。
また、図２で説明したようにヒンジ金具２の他方の脚片２５からは外扉２０の中央側に向けてパネル押え金具４１の倒れ防止部材２６が設けられており、この倒れ防止部材２６の機能について図４を参照しながら説明する。前記パネル押え金具４１については前述したようにディスプレイ室７０に飛び出して体裁を損なわないように、後端部側に対して前端部側が外扉２０の側面側に位置するように傾斜して配設されている、このため、運搬時の振動などによりパネル押え金具４１の前端部が外扉２０の側面側に倒れるおそれがあり、従来では倒れ防止のために専用に部材を設けていた。しかしながら、この実施の形態においてはパネル押え金具４１が外扉２０の側面側に倒れた場合にもヒンジ金具２の倒れ防止部材２６に当接してそれ以上倒れることがない。このように、ヒンジ金具２がパネル押え金具４１の倒れを防止する機能を備えており、ディスプレイ扉６０を支持するヒンジ金具２がパネル押え金具４１の倒れ防止部材を兼用しているものである。したがって、従来ではパネル押え金具４１の倒れ防止のために設けていた専用の部材を削減できる。
【００１６】
なお、前述した実施の形態においては、ヒンジ金具２に係合舌片２８を形成し、この係合舌片２８を外扉２０の係合穴２０ｄに係合させるように構成されている。この構成によりヒンジ金具２の外扉２０への固着作業を簡単に行うことができる。しかしながら、前記係合舌片２８を形成するためには鋼板の歩留り、つまり、厚板鋼板を延ばした状態（ヒンジ金具２の展開状態）でヒンジ金具２をプレス加工した場合に係合舌片２８を形成するために幅の広い鋼板を使用せねばならないことから歩留りが悪い。このため、係合舌片２８に代えて上下ともにねじにより固着することもできるものである。
前述したとおり本発明によれば、前面が開口した断熱筐体として形成された本体キャビネット１０（図５参照）と、当該本体キャビネット１０の前面を開閉する外扉２０とを備えた自動販売機であって、前記外扉２０に形成されるとともに前面が透明パネル４０により覆われたディスプレイ室７０と、このディスプレイ室７０の背面を形成し、前記外扉２０にヒンジ装置を介して開閉可能に支持されたディスプレイ扉６０とを備えた自動販売機用外扉において、前記ディスプレイ扉６０を支持するヒンジ装置１の一方のヒンジ金具２を前記外扉２０に配設するとともに前記外扉２０の側面後端部２００で一方のヒンジ金具２を囲繞するように構成したことにより、前記ヒンジ装置１によりディスプレイ扉６０を回動可能に支持しつつ、前記外扉２０が前記一方のヒンジ金具２を囲繞するように形成されていることから、前記一方のヒンジ金具２が外扉２０の補強手段として機能するので外扉の扉剛性を確保できる。したがって、従来装置においてディスプレイ室７０に隣接する上部域まで延在して設けていた補強枠体２１を削除することが可能となり、外扉２０の薄板化と相俟ってコストの低減に寄与するものである。
【図面の簡単な説明】
【００１７】
【図１】本発明の実施の形態である自動販売機用外扉の背面を示し、ディスプレイ扉を装着した状態における外扉の要部背面斜視図である。
【図２】図１に示した一方のヒンジ金具の斜視図である。
【図３】図１に示した外扉からディスプレイ扉を取り外した状態における外扉の要部背面斜視図である。
【図４】図１に示した外扉のヒンジ側における平面断面図である。
【図５】従来の自動販売機において外扉を開放した状態の斜視図である。
【図６】図５に示したヒンジ装置の拡大図である。
【図７】図５に示した外扉からディスプレイ扉を取り外した状態におけるヒンジ装置の拡大図である。
【図８】図５に示した外扉のヒンジ側における平面断面図である。
【符号の説明】
【００１８】
１    ヒンジ装置
２    一方のヒンジ金具
３    （他方のヒンジ金具の）円筒部
１０    本体キャビネット
２０    外扉
２０ａ    底面
２０ｂ    開口
２０ｃ    挿通孔
２０ｄ    係合穴
２１    ヒンジ軸
２２    開口
２３    底面
２６    倒れ防止部材
２７    挿通孔
２８    係合舌片
４０    透明パネル
４１    パネル押え金具
６０    ディスプレイ扉
７０    ディスプレイ室
【図１】
0004788681.tif 000002
【図２】
0004788681.tif 000003
【図３】
0004788681.tif 000004
【図４】
0004788681.tif 000005
【図５】
0004788681.tif 000006
【図６】
0004788681.tif 000007
【図７】
0004788681.tif 000008
【図８】
0004788681.tif 000009